(57)【要約】      （修正有）【課題】プラスチックフィルムハウスの屋根の天窓を覆蓋するシートを開閉して天窓を開閉する天窓開閉装置であって、水が溜まりにくく、たるみが生じにくく、さらに屋根からの浮き上がりが防止された天窓開閉装置を提供する。【解決手段】天窓６のシート１２は、下辺が該天窓の低位側の辺縁に固定され、上辺が巻芯１４に結合されている。巻芯には、延出体１６の一端が連結されている。延出体の他端側は屋根の天頂部１ｔを越えて該屋根の他半側へ延出している。延出体の他端はロール状錐体１８に連結されている。ネット２０は、その上端辺がロール状錐体に連結され、下端辺が該ロール状錐体よりも低位側において屋根に固定されている。巻芯が天窓に沿って該天窓の高位側から低位側へ転動しながら移動することによりシートが該巻芯に巻取られ、天窓が開放される。巻芯には、延出体を介して錘体１８から天窓の高位側への引張り力が加えられている。【選択図】図１
2006034156.tif 000002
【特許請求の範囲】
【請求項１】
プラスチックフィルムハウスの屋根に設けられた天窓を覆蓋するシートを開閉するための天窓開閉装置であって、
該屋根は頂陵状の天頂部を有し、該天頂部から両側に向って下り勾配となっており、該天窓は該天頂部よりも一半側に設けられている天窓開閉装置において、
前記シートは、一側辺が該天窓の低位側に固定され、該天窓の高位側まで拡開する大きさを有しており、
該シートの他側辺が結合されており、該天窓に沿って天窓の高位側と低位側との間を転動しながら移動可能であり、該高位側から低位側へ転動することにより該シートを巻取り、該低位側から高位側へ転動することによりシートを天窓に覆蓋させる巻芯と、
一端が該巻芯に連結され、他端側が屋根の天頂部よりも他半側に延出しており、該巻芯の低位側への転動に伴って該巻芯に巻取られ、該巻芯の高位側への転動に伴って該巻芯から巻出される延出体と、
該延出体に対し引下げ力を与える錘体と、
該錐体の屋根からの浮き上がりを防止する浮き上がり防止手段と、
を備えてなるプラスチックフィルムハウスの天窓開閉装置。
【請求項２】
請求項１において、該延出体の少なくとも一部は網状体であることを特徴とするプラスチックフィルムハウスの天窓開閉装置。
【請求項３】
請求項１又は２において、該錐体は前記巻芯と平行方向に延在するロール状であり、前記延出体の他端は、該延出体が該巻芯から巻出されることに伴って該ロール状錐体に巻取られ、該延出体が該巻芯に巻取られることに伴って該ロール状錐体から巻出されるように該ロール状錐体に結合されており、
前記浮き上がり防止手段として、該屋根上に配置され、下端側が前記プラスチックフィルムハウスに固定され、上端側が該ロール状錐体に巻取り可能となっているネットが設けられており、
前記ロール状錐体は、該延出体が該巻芯に巻取られることにより高位側へ転動して前記延出体及びネットを巻出し、該延出体が該巻芯から巻出されることにより低位側へ転動して前記延出体及びネットを巻取ることを特徴とするプラスチックフィルムハウスの天窓開閉装置。
【発明の詳細な説明】
【技術分野】
【０００１】
本発明は、ビニルハウスなどのプラスチックフィルムハウスの天窓を開閉するための天窓開閉装置に係り、特にプラスチックフィルムハウスの屋根の天窓を覆蓋するシートを開閉して天窓を開閉する天窓開閉装置に関する。
【背景技術】
【０００２】
農業用、園芸用等の温室として用いられるビニルハウス等のプラスチックフィルムハウスにあっては、屋根に天窓を設け、この天窓を開閉させることにより該プラスチックフィルムハウス内の温度調節や換気を行うことがある。
【０００３】
特開平８−１７２９３３号公報には、このビニルハウスの天窓の開閉装置の一例が記載されている。同号公報においては、屋根は略切妻屋根状であり、その頂陵状の天頂部から両側に向って下り勾配となっている。この屋根の天頂部よりも一半側に、天頂部付近から屋根の下端付近にまで延在する天窓が設けられている。
【０００４】
この天窓を覆うようにビニル樹脂製のシートが設けられている。このシートは、一端辺（上端辺）が天窓の上縁部に固定され、他端辺（下端辺）側からロッドに巻取り可能とされている。ロッドは、頂陵状の天頂部の棟方向に延在している。
【０００５】
なお、ロッドは手動式のハンドル操作によって屋根上を転動するよう構成されている。
【０００６】
この天窓開閉装置においては、ハンドルを回転操作してロッドを天窓に沿って該天窓の低位側から高位側へ転動させることにより、シートが該ロッドに巻取られて天窓が開放される。また、ロッドを天窓に沿って該高位側から低位側へ転動させることにより、シートがロッドから巻出されて天窓が閉鎖される。
【特許文献１】特開平８−１７２９３３号公報
【発明の開示】
【発明が解決しようとする課題】
【０００７】
上記特開平８−１７２９３３号公報の天窓開閉装置にあっては、天窓を覆うシート上に掛かった雨水等の水滴が該シート上を屋根の低位側へ流れ落ちる場合、該シートの下端辺に連結されたロッド又は該ロッドによるシート下端辺側からのシート巻取り体により、この水滴が堰き止められ、該シート上に水が溜まり易い。
【０００８】
なお、このシートの下端辺を天窓の下縁部に固定し、該シートの上端辺側からロッドで該シートを巻取るよう構成することにより、該シート上を流れ落ちる水が途中で堰き止められることを防止することも考えられる。しかしながら、このように構成した場合、シート及びロッドには各々の自重により屋根の低位側へ向う力が作用するため、シートにたるみが生じ易くなる。
【０００９】
そこで、さらに、該ロッドから屋根天頂部を越えて屋根の反対側（天窓が設けられた側と反対側）へ延出する延出体を設けると共に、該延出体に引き下げ力を加える錐体を取り付け、この錐体の重さにより、該ロッドに屋根天頂部側への引き上げ力を作用させてシートのたるみを取り除くことも考えられる。この場合、シートや延出体、錐体等が風に煽られて屋根から浮き上がらないようにすることが望ましい。
【００１０】
本発明は、プラスチックフィルムハウスの屋根の天窓を覆蓋するシートを開閉して天窓を開閉する天窓開閉装置であって、該シート上に水が溜まりにくく、該シートにたるみが生じにくく、さらにシート等の屋根からの浮き上がりが防止された天窓開閉装置を提供することを目的とする。
【課題を解決するための手段】
【００１１】
本発明（請求項１）のプラスチックフィルムハウスの天窓開閉装置は、プラスチックフィルムハウスの屋根に設けられた天窓を覆蓋するシートを開閉するための天窓開閉装置であって、該屋根は頂陵状の天頂部を有し、該天頂部から両側に向って下り勾配となっており、該天窓は該天頂部よりも一半側に設けられている天窓開閉装置において、前記シートは、一側辺が該天窓の低位側に固定され、該天窓の高位側まで拡開する大きさを有しており、該シートの他側辺が結合されており、該天窓に沿って天窓の高位側と低位側との間を転動しながら移動可能であり、該高位側から低位側へ転動することにより該シートを巻取り、該低位側から高位側へ転動することによりシートを天窓に覆蓋させる巻芯と、一端が該巻芯に連結され、他端側が屋根の天頂部よりも他半側に延出しており、該巻芯の低位側への転動に伴って該巻芯に巻取られ、該巻芯の高位側への転動に伴って該巻芯から巻出される延出体と、該延出体に対し引下げ力を与える錘体と、該錐体の屋根からの浮き上がりを防止する浮き上がり防止手段と、を備えてなるものである。
【００１２】
請求項２のプラスチックフィルムハウスの天窓開閉装置は、請求項１において、該延出体の少なくとも一部はネットであることを特徴とするものである。
【００１３】
請求項３のプラスチックフィルムハウスの天窓開閉装置は、請求項１又は２において、該錐体は前記巻芯と平行方向に延在するロール状であり、前記延出体の他端は、該延出体が該巻芯から巻出されることに伴って該ロール状錐体に巻取られ、該延出体が該巻芯に巻取られることに伴って該ロール状錐体から巻出されるように該ロール状錐体に結合されており、前記浮き上がり防止手段として、該屋根上に配置され、下端側が前記プラスチックフィルムハウスに固定され、上端側が該ロール状錐体に巻取り可能となっているネットが設けられており、前記ロール状錐体は、該延出体が該巻芯に巻取られることにより高位側へ転動して前記延出体及びネットを巻出し、該延出体が該巻芯から巻出されることにより低位側へ転動して前記延出体及びネットを巻取ることを特徴とするものである。
【発明の効果】
【００１４】
本発明のプラスチックフィルムハウスの天窓開閉装置においては、シートは、下端辺が天窓の低位側に固定されると共に、上端辺が巻芯に結合されている。このシートが天窓を覆った状態から巻芯を天窓の高位側から低位側へ転動させると、シートが巻芯に巻取られ、天窓が開放される。なお、この際、延出体も巻芯に巻取られる。
【００１５】
シートを巻取った巻芯を、該低位側から高位側へ転がし上げると、巻芯からシートが巻出され、このシートが天窓を覆うので、天窓が閉鎖される。なお、この巻芯が転がり上がるときには、延出体が巻芯から巻出される。
【００１６】
本発明では、延出体に対し、錘体の自重により屋根の反対側（天窓が設けられた側と反対側）への引き下げ力が加えられている。従って、巻芯には、この延出体を介し、該錘体の自重により天窓の高位側（屋根の天頂部側）への引き上げ力が作用している。
【００１７】
このように、本発明のプラスチックフィルムハウスの天窓開閉装置にあっては、シートの下端辺を天窓の低位側に固定し、該シートの上端辺側から巻芯により該シートを巻取るよう構成しているので、シート上を水滴等が流れ落ちる場合に、巻芯又は該巻芯によるシート巻取り体によってこの水滴が堰き止められることがなく、該シート上に水が溜まりにくい。
【００１８】
また、巻芯には、錘体の自重により天窓の高位側への引き上げ力が作用しているため、この巻芯を介してシートの上端辺側が天窓の高位側へ引張られ、シートがピンと張るようになる。これにより、シートにたるみが生じにくい。
【００１９】
なお、本発明のプラスチックフィルムハウスの天窓開閉装置においては、巻芯には、その自重（及び巻取ったシートの重量）により天窓の低位側へ転がり落ちようとする力と、錘体に引張られて天窓の高位側へ転がり上がろうとする力との双方の力が加わるので、両者の力の差よりも若干大きい程度の力を加えるだけで巻芯を転動させることができる。
【００２０】
さらに、本発明の天窓開閉装置にあっては、錐体の屋根からの浮き上がりが防止されているので、シートや延出体が風に煽られても該錐体が屋根から浮き上がることがない。また、このとき、この錐体を介してシートや延出体が屋根に引き留められるので、シートや延出体の屋根からの浮き上がりも防止される。
【００２１】
本発明の天窓開閉装置においては、シートが巻芯に巻取られると、延出体も巻芯に巻取られ、天窓側へ引き出される。そのため、延出体は、少なくとも一部が、天窓の通気を許容する網状体であることが望ましい（請求項２）。
【００２２】
延出体を網状体とした場合には、天窓開放時に天窓がネットで覆われるため、該天窓からプラスチックフィルムハウス内に害虫やゴミ等が侵入することが防止される。
【００２３】
請求項３の態様にあっては、錘体から高位側へ引き回された延出体と、錘体から低位側へ引き回されたネットとにより、錐体が屋根の高位側と低位側の双方に繋ぎ留められている。これにより、シートや延出体が風に煽られたときに、該錐体が屋根から浮き上がることが防止される。
【発明を実施するための最良の形態】
【００２４】
以下に、図面を参照して本発明の実施の形態について説明する。
【００２５】
第１図は実施の形態に係るプラスチックフィルムハウスの天窓開閉装置１０を備えたプラスチックフィルムハウスの断面図であり、（ａ）図は天窓閉状態時を示し、（ｂ）図は天窓開状態時を示している。第２図はこの天窓開閉装置の斜視図である。第３図はこの天窓開閉装置の作動態様の説明図である。第４図及び第５図はそれぞれ巻芯とシートとの結合部及び錐体とネットとの結合部の断面斜視図である。なお、これらの図においては、この天窓開閉装置の構成を明瞭にするために、各シートの厚みを誇張して示している。
【００２６】
第１図に示すように、この実施の形態では、プラスチックフィルムハウス１は、アーチ形のフレーム（パイプ）２を複数本所定の間隔にて立設し、これらのフレーム２を取り囲むように合成樹脂シート（プラスチックフィルム）４を張設してなるものである。なお、該合成樹脂シート４は、この実施の形態では、一般的なビニルハウスに用いられる塩化ビニル系樹脂シート又はポリオレフィン系樹脂シートであるが、これに限定されるものではない。該合成樹脂シート４は、要所が複数箇所において各フレーム２に対し固定具やバンド（いずれも図示略）により固定されている。
【００２７】
このプラスチックフィルムハウス１の頂陵状の屋根１ｒの天頂部１ｔよりも一半側に天窓（開口）６が形成されている。この天窓６がシート１２によって開閉される。このシート１２は、下辺が天窓６の低位側の辺縁に固定され、該天窓６の高位側へ拡開することにより該天窓６を覆蓋しうる大きさを有している。
【００２８】
なお、該シート１２は、この実施の形態では、プラスチックフィルムハウス１の外殻を構成する合成樹脂シート４と同様の材質よりなるものであるが、該合成樹脂シート４と異なっていてもよい。この実施の形態では、該シート１２の下辺は、天窓６の下縁付近の合成樹脂シート４に対し固定具を用いて、あるいは溶着や接着等により結合されているが、これに限定されるものではない。
【００２９】
天窓開閉装置１０は、このシート１２と、該シート１２の上辺が結合されており、該天窓６（屋根１ｒの上面）に沿って該天窓６の高位側と低位側との間を転動しながら移動可能となっている巻芯１４と、一端が該巻芯１４に連結されており、他端側が前記天頂部１ｔを越えて屋根１ｒの他半側へ延出した延出体１６と、該延出体１６の他端側に引下げ力を与える錘体１８と、該錐体１８の屋根１ｒからの浮き上がりを防止する浮き上がり防止手段としてのネット２０と、該巻芯１４及び錘体１８を転動させる転動装置２２とを備えている。
【００３０】
該巻芯１４は、屋根１ｒの棟方向と平行に略水平に延在する円柱状（棒状）又は円筒状のものである。この巻芯１４が天窓６に沿って該天窓６の高位側から低位側へ転動しながら移動することにより、シート１２が該巻芯１４に巻取られ、天窓６が開放される。この際、延出体１６の一端側も該シート１２と一緒に巻芯１４に巻取られる。また、巻芯１４が天窓６に沿って該天窓６の低位側から高位側へ転動しながら移動することにより、シート１２が該巻芯１４から巻出され、天窓６が覆蓋される。この際、延出体１６の一端側も巻芯１４から巻出される。
【００３１】
この巻芯１４の材質は特に限定されるものではないが、例えば鉄管等を用いることができる。また、この巻芯１４の直径は、シート１２及び延出体１６の巻取り及び巻出しをスムーズに行うことができる大きさであればよく、特に限定されるものではないが、５〜５０ｍｍ程度であることが好ましい。
【００３２】
この実施の形態では、錐体１８は該巻芯１４と平行に延在したロール状（円柱状又は円筒状）のものであり、屋根１ｒの前記他半側において、該屋根１ｒの上面に沿って該屋根１ｒの高位側と低位側との間を転動しながら移動可能となっている。
【００３３】
このロール状錐体１８に対し、延出体１６の前記他端が結合されている。なお、この結合構造の詳細については後述する。該延出体１６は、一端側が巻芯１４から巻出されることに伴って他端側が該ロール状錐体１８に巻取られ、一端側が巻芯１４に巻取られることに伴って他端側が該ロール状錐体１８から巻出されるようになっている。即ち、第１図（ａ）から（ｃ）の如く、巻芯１４がシート１２及び延出体１６の一端側を巻取りつつ天窓６の高位側から低位側へと転動するのに伴い、ロール状錐体１８が延出体１６の他端側を巻出しつつ屋根１ｒの低位側から高位側へと転動し、第１図（ｃ）から（ａ）の如く、巻芯１４がシート１２及び延出体１６の一端側を巻出しつつ天窓６の低位側から高位側へと転動するのに伴い、ロール状錐体１８が該延出体１６の他端側を巻取りつつ屋根１ｒの高位側から低位側へと転動する。
【００３４】
この実施の形態では、錘体１８の重量は、第１図（ｂ）の如く天窓６が全開状態となるまで巻芯１４がシート１２及び延出体１６を巻取った状態において、該巻芯１４と、該巻芯１４に巻取られたシート１２及び延出体１６との合計重量により巻芯１４に生じるシート巻取り方向（転がり落ちる方向）への回転トルクよりも、該錘体１８の重量により延出体１６を介して巻芯１４に生じる転がり上がる方向の回転トルクの方が大きくなるよう設定されている。
【００３５】
即ち、この実施の形態では、巻芯１４には、錘体１８から常時天窓６の高位側への引張り力が加えられている。
【００３６】
この錘体１８の材質や構造は特に限定されるものではない。例えば、この錘体１８は、金属製又は合成樹脂製の中実円柱状（棒状）体であってもよく、中空円筒状体に重量物を充填したものであってもよい。具体的には、塩ビ管に砂などを充填したものであってもよい。
【００３７】
ネット２０は、屋根１ｒ上に配置され、下端辺が該ロール状錐体１８の移動範囲よりも低位となる高さにおいてプラスチックフィルムハウス１（屋根１ｒ）に対し固定具２４によって固定され、上端辺が該ロール状錐体１８に結合されている。ただし、このネット２０のプラスチックフィルムハウス１への固定構造はこれに限定されるものではなく、例えば、プラスチックフィルムハウス１の外殻を構成する合成樹脂シート４に対し溶着や接着等により結合されてもよい。なお、このネット２０のロール状錐体１８への結合構造の詳細については後述する。
【００３８】
従って、この天窓開閉装置１０においては、ロール状錐体１８は、該ロール状錘体１８から高位側へ引き回された延出体１６と、該ロール状錘体１８から低位側へ引き回されたネット２０とによって屋根１ｒの高位側と低位側との双方に繋ぎ留められており、これにより、該ロール状錐体１８の屋根１ｒからの浮き上がりが防止される。
【００３９】
このネット２０は、ロール状錐体１８が屋根１ｒの高位側から低位側へと転動するのに伴って延出体１６の他端側と一緒に該ロール状錐体１８に巻取られ、ロール状錐体１８が屋根１ｒの低位側から高位側へと転動するのに伴って延出体１６の他端側と一緒に該ロール状錐体１８から巻出される。
【００４０】
この実施の形態では、延出体１６は、合成樹脂ネット等よりなる網状体１６ａと、該網状体１６ａの上側辺に連なるシート部１６ｂとで構成されている。このシート１６ｂが巻芯１４に結合され、網状体１６ａがロール状錐体１８に結合されている。なお、この結合構造の詳細については後述する。このように延出体１６の根元側にシート部１６ｂが存在していることにより、第１図（ａ）に示すように、天窓閉状態時において該シート部１６ｂが巻芯１４の高位側から屋根１ｒの天頂部１ｔを越えて該屋根１ｒの他半側の上部までを覆うようになり、該巻芯１４の高位側に雨水等が溜まることが防止される。
【００４１】
この実施の形態では、第４図に示すように、シート１２と延出体１６のシート部１６ｂとが一続きとなっている。即ち、該シート１２は、天窓６に覆蓋する領域と、この領域が天窓６に覆蓋した状態において屋根１ｒの天頂部１ｔを越えて該屋根１ｒの前記他半側（天窓６が設けられた側と反対側）に延出して延出体１６のシート部１６ｂを構成する領域とを有している。
【００４２】
この実施の形態では、第４図に示すように、シート１２のうち上記の２つの領域の境界付近を巻芯１４に被せ、その上から挟み固定部材３０を装着することにより、該シート１２（及び延出体１６のシート部１６ｂ）を巻芯１４に固定している。この挟み固定部材３０は、図示の如く断面Ｃ字形の弾性部材であり、弾性変形しつつ巻芯１４を咥え込むようにして該巻芯１４に外嵌し、該シート１２を巻芯１４に固定するよう構成されている。
【００４３】
なお、このシート１２の巻芯１４への固定構造はこれに限定されるものではない。例えば、巻芯１４に側周面から軸心側に向って切込み状のスリットを設け、シート１２のうち上記の２つの領域の境界付近をこのスリットに挟み込むようにして巻芯１４に結合してもよい。
【００４４】
この実施の形態では、第５図に示すように、延出体１６の網状体１６ａとロール状錐体１８の浮き上がり防止手段のネット２０とも一続きに構成されており、両者の境界付近をロール状錐体１８に被せ、その上から挟み固定部材３０を装着することにより、これらの網状体１６ａ，２０をロール状錐体１８に固定している。なお、この網状体１６ａ，２０のロール状錐体１８への固定構造もこれに限定されるものではなく、適宜の固定構造を採用することができる。
【００４５】
転動装置２２は、第２図に示すように、ロール状錐体１８の端部に設けられた駆動用プーリ２２ａと、該駆動用プーリ２２ａに掛けられた駆動用無端ベルト２２ｂと、ロール状錐体１８及び巻芯１４の双方に設けられた連動用プーリ２２ｃ，２２ｄと、該連動用プーリ２２ｃ，２２ｄ同士に掛け回された連動用無端ベルト２２ｅとを有している。
【００４６】
この駆動用無端ベルト２２ｂを引張って駆動用プーリ２２ａを回転駆動させることにより、ロール状錐体１８が転動すると共に、連動用プーリ２２ｃ，２２ｄ及び連動用無端ベルト２２ｅを介して巻芯１４が該ロール状錐体１８と同調して転動する。
【００４７】
天窓６の下辺に沿って好ましくはストッパ２６が上方に突設される。巻芯１４がシート１２を巻取りながら該天窓６の低位側へ移動したときに、該巻芯１４が該ストッパ２６に当接して停止する。また、天窓６の上辺に沿う天頂部１ｔ付近に、好ましくはストッパ２８が上方に突設される。巻芯１４がシート１２を巻出しながら該天窓６の高位側へ移動したときに、該巻芯１４が該ストッパ２８に当接して停止する。また、ロール状錐体１８が延出体１６を巻出しながら屋根１ｒの高位側へ移動したときにも、該ロール状錐体１８がストッパ２８に当接して停止する。この実施の形態では、ストッパ２６はシート１２の下端辺を天窓６の下縁部に固定する固定具と一体に設けられているが、ストッパ２６の構成はこれに限定されるものではない。
【００４８】
なお、この他に、該ロール状錐体１８が延出体１６を巻取りながら屋根１ｒの低位側へ移動したときに該ロール状錘体１８を所定位置で停止させるストッパが設けられてもよい。このストッパは、ネット２０の下端辺を屋根１ｒに固定する固定具と一体に設けられてもよいが、このストッパの構成は特に限定されるものではない。
【００４９】
このように構成された天窓開閉装置１０の操作手順について次に説明する。
【００５０】
第１図（ａ）及び第３図（ａ）のように天窓６がシート１２で閉鎖された状態から天窓６を開放させる場合には、巻芯１４及びロール状錐体１８が互いに同調しつつ第３図（ａ）の矢印Ｒ方向へ自転するように無端ベルト２２ｂを引張り、巻芯１４を天窓６の高位側から低位側へ転動させると共に、ロール状錐体１８を屋根１ｒの低位側から高位側へ転動させる。この天窓６の高位側から低位側への巻芯１４の転動により、第３図（ａ）から（ｃ）の如くシート１２が該巻芯１４に巻取られ、天窓６が開放される。この際、延出体１６は、一端側が該巻芯１４に巻取られると共に、他端側がロール状錐体１８から巻出される。これにより、図示の如く延出体１６の網状体１６ａが天窓６の上方へ引き出されて該天窓６を覆うようになる。
【００５１】
第１図（ｂ）及び第３図（ｃ）のように開放状態となっている天窓６をシート１２で閉鎖するには、無端ベルト２０ｂを上記の天窓開放操作時と反対方向へ引張って巻芯１４をシート巻出し方向へ（天窓６の低位側から高位側へ）転動させる。この巻芯１４の天窓６の高位側への転動によりシート１２が巻出され、天窓６がシート１２によって覆われるようになる。この際、延出体１６も巻芯１４から巻出される。また、該巻芯１４と同調してロール状錐体１８が屋根１ｒの高位側から低位側へ転動し、この延出体１６を巻取る。なお、巻芯１４には、延出体１６を介して錘体１８から天窓６の高位側への引張り力が加えられているため、巻芯１４から巻出されたシート１２は該巻芯１４により該高位側へ引張られ、たわみなく天窓６に沿って展張される。
【００５２】
この天窓開閉装置１０にあっては、シート１２の下端辺を天窓６の低位側に固定し、該シート１２の上端辺側から巻芯１４により該シート１２を巻取るよう構成しているので、シート１２上を水滴等が流れ落ちる場合に、巻芯１４又は該巻芯１４によるシート巻取り体によってこの水滴が堰き止められることがなく、該シート１２上に水が溜まりにくい。
【００５３】
また、巻芯１４には、錘体１８の自重により天窓６の高位側への引き上げ力が作用しているため、この巻芯１４を介してシート１２の上端辺側が天窓６の高位側へ引張られ、シート１２がピンと張るようになる。これにより、シートにたるみが生じにくい。
【００５４】
さらに、この天窓開閉装置１０にあっては、錘体１８から高位側へ引き回された延出体１６と、錘体１８から低位側へ引き回されたネット２０とにより、錐体１８が屋根１ｒの高位側と低位側の双方に繋ぎ留められている。これにより、シート１２や延出体１６が風に煽られたときに、該錐体１８が屋根１ｒから浮き上がることが防止される。また、このとき、この錐体１８を介してシート１２や延出体１６も屋根１ｒに引き留められるので、シート１２や延出体１６が屋根１ｒからの浮き上がる（まくれ上がる）ことも防止される。
【００５５】
この天窓開閉装置１０においては、天窓６を開放させると延出体１６が天窓６の上方に引き出されて該天窓６を覆うようになるが、この実施の形態では、該延出体１６は通気性を有する網状体１６ａよりなるので、この網状体１６ａを介してプラスチックフィルムハウス１の内外の空気が相互に流通する。また、このように天窓開放時に天窓６を網状体１６ａで覆っておくことにより、該天窓６からプラスチックフィルムハウス１内に害虫やゴミ等が侵入することが防止される。
【００５６】
上記の各実施の形態は本発明の一例を示すものであり、本発明は上記の各実施の形態に限定されるものではない。
【００５７】
例えば、上記の実施の形態では、巻芯１４及びロール状錐体１８を転動させる転動装置２２として、プーリと無端ベルトとを組み合せたものを採用しているが、転動装置の構成はこれに限定されるものではなく、巻芯１４及びロール状錐体１８を転動させうる機能を有する任意の装置を採用することが可能である。また、巻芯１４とロール状錐体１８とに個別に転動装置を設けることも可能である。
【００５８】
上記の実施の形態では延出体を網状体により構成しているが、延出体は孔開きシートであってもよく、紐状体であってもよい。延出体を紐状体とした場合には、延出体の構成をきわめて簡易なものとすることができる。
【００５９】
上記実施の形態では、ネット２０により錐体１８を屋根１ｒの低位側に繋ぎ留めて該錐体１８の浮き上がりを防止しているが、例えば、このネット２０の代りに、シートや紐状体により錐体１８を屋根１ｒの低位側に繋ぎ留めて該錘体１８の浮き上がりを防止してもよい。ただし、ネットはシートに比べて軽量であり、また、絡まり合うこともなく、操作性が良好であり、好適である。
【図面の簡単な説明】
【００６０】
【図１】実施の形態に係るプラスチックフィルムハウスの天窓開閉装置を備えたプラスチックフィルムハウスの断面図であり、（ａ）図は天窓閉状態時を示し、（ｂ）図は天窓開状態時を示している。
【図２】図１のプラスチックフィルムハウスの天窓開閉装置の斜視図である。
【図３】図１のプラスチックフィルムハウスの天窓開閉装置の作動態様の説明図である。
【図４】図１のプラスチックフィルムハウスの天窓開閉装置における巻芯とシートとの結合部の断面斜視図である。
【図５】図１のプラスチックフィルムハウスの天窓開閉装置におけるロール状錐体とネットとの結合構造を示す断面斜視図である。
【符号の説明】
【００６１】
１  プラスチックフィルムハウス
１ｒ  屋根
１ｔ  天頂部
２  フレーム
４  合成樹脂シート
１０  天窓開閉装置
１２  シート
１４  巻芯
１６  延出体
１６ａ  ネット
１８  錘体
【図１】
2006034156.tif 000003
【図２】
2006034156.tif 000004
【図３】
2006034156.tif 000005
【図４】
2006034156.tif 000006
【図５】
2006034156.tif 000007